(57)【要約】【課題】  回転部の回転によりフレキがフレキケース内で摺動すると、フレキに静電気が発生することがある。そのため、フレキの配線が静電破壊を起こすなど思わぬ障害を引き起こすことがあった。さらに、フレキケースは摺動性を得るために、ＰＯＭ等のプラスチック材料が使われることが多く、グランドへの導通経路が形成しにくく、フレキケース内のフレキの電位は不安定な状態になることが多い。【解決手段】  カメラユニットを含む回転部と、前記回転部をパン回転させるための駆動手段と、前記カメラユニットと可尭性ケーブルにより電気的に接続された固定部と、前記ケーブルの外周を規制し、前記ケーブルを螺旋状に収納するフレキケースとを有し、前記フレキケースが摺動性＆導電性を有したシートを内部に有する構成とすることである。【選択図】  図１
2008211613.tif 000002
【特許請求の範囲】
【請求項１】
カメラユニットを含む回転部と、前記回転部をパン回転させるための駆動手段と、前記カメラユニットと可尭性ケーブルにより電気的に接続された固定部と、前記ケーブルの外周を規制し、前記ケーブルを螺旋状に収納するフレキケースとを有し、前記フレキケースが摺動性＆導電性を有したシートを内部に有することを特徴とする撮像装置。
【請求項２】
前記シートが、少なくとも、
前記回転部の軸を軸支するスリーブまたは、フレキケースまたは、固定部のベースのいずれか一つと接触し導通していることを特徴とする請求項１に記載の撮像装置。
【発明の詳細な説明】
【技術分野】
【０００１】
本発明は、カメラユニットをパン回転可能とし、カメラユニットで撮影した映像を表示装置に出力可能な撮像装置であって、特にカメラユニットと固定部の基板間で電力や信号を伝送するために用いる回動配線機構を有する撮影装置に関する。
【背景技術】
【０００２】
従来、カメラユニットと固定部基板との接続は、特開２００２−３４４７８４に記載されているように複数の導体を平行に配列し両面をラミネートフィルム等の絶縁テープで覆って一体化したフレキを、パン回転軸を中心とした周囲に螺旋状に配置するように構成している。このとき、フレキを螺旋状に配置するための外周規制部材が固定部に形成されている。
【０００３】
具体的に図６、図７を用いて説明する。
【０００４】
図６は、従来の撮像装置において回転部４０を固定部から取り外した状態を示す状態図である。カメラユニット２０は、チルト部５０を中心として、矢印Ａ１およびＡ２方向に回動可能に構成されている。チルト部５０は、チルトモータ５１とチルトギア５２、チルトモータ中継基板５３から構成されており、チルトモータ５１に一体で取り付けられたピニオンギア（不図示）とチルトギア５２はギア連結され、チルトモータ５１の駆動によりカメラユニット２０が矢印Ａ１およびＡ２方向に回動するように構成されている。チルトモータ中継基板５３はチルトモータ５１と電気的に接続し、固定部とフレキ８１で接続するための中継の機能を有する基板である。カメラユニット２０と固定部を電気的に接続するフレキ８０およびチルトモータ中継基板５３と固定部を接続するためのフレキ８１は、いっしょに配線され、回転部の回転軸であるパン軸４１の近傍に配線される。（図６）ここで、４３は回転部を回転させるためのパンギアである。
【０００５】
次に図７を用いて、フレキ８０、８１を固定部に配線する状態について説明する。図７は、従来の撮像装置においてフレキを配線する状態を示す状態図である。回転部４０はカメラユニットを搭載し、パン軸４１と固定部２０の軸受け部３１が嵌合することにより固定部に取り付けられる。このとき、回転部４０のパンギア４３はパンモータ４２のピニオンギア（不図示）にギア連結され、パンモータ４２が回転することによりパンユニット４０は、Ｂ１あるいはＢ２方向に回動する。また、先述のフレキ８０および８１は、固定部３０に設けられたフレキース７０内で螺旋状８２に配線される。このようにフレキが螺旋状に配線されるのは回転部がＢ１あるいはＢ２方向に回動した場合、配線上の余長をもたせるためである。
【特許文献１】特開２００２−３４４７８４号公報
【発明の開示】
【発明が解決しようとする課題】
【０００６】
上記のような構成の場合、回転部の回転によりフレキがフレキケース内で摺動すると、フレキに静電気が発生することがある。そのため、フレキの配線が静電破壊を起こすなど思わぬ障害を引き起こすことがあった。さらに、フレキケースは摺動性を得るために、ＰＯＭ等のプラスチック材料が使われることが多く、グランドへの導通経路が形成しにくく、フレキケース内のフレキの電位は不安定な状態になることが多い。
【課題を解決するための手段】
【０００７】
本発明は、かかる技術的欠点に鑑み、
カメラユニットを含む回転部と、前記回転部をパン回転させるための駆動手段と、前記カメラユニットと可尭性ケーブルにより電気的に接続された固定部と、前記ケーブルの外周を規制し、前記ケーブルを螺旋状に収納するフレキケースとを有し、前記フレキケースが摺動性＆導電性を有したシートを内部に有する構成とした。
【０００８】
また、前記シートが、少なくとも、
前記回転部の軸を軸支するスリーブまたは、フレキケースまたは、固定部のベースの
いずれか一つと接触し導通している構成とした。
【発明の効果】
【０００９】
本発明によれば、フレキケース内に、摺動性及び導電性を有するシートを配置するので、フレキの良好な摺動が実現し、更に、フレキの摺動によって生じた静電気を容易にベースのグランドに導くことができるようになる。
【発明を実施するための最良の形態】
【００１０】
以下、本発明の実施の形態について図面を参照して説明する。
【実施例１】
【００１１】
図１〜図４を用いて、本発明の第１の実施例の撮像装置について説明する。
【００１２】
図１は、本発明の第１の実施例によるフレキケースを有した撮像装置の外観斜視図である。
【００１３】
撮像装置１０は、固定部１０、回転部４０、カメラユニット２０、チルト部５０からなる。チルト部５０の構成は、チルトモータ５１の駆動によりギア連結されたチルトギア５２が回転し、カメラユニット２０が、チルト部５０を中心として、矢印Ａ１およびＡ２方向に回動可能に構成されている。
【００１４】
図２は、第１の実施例のフレキケースを回転部に装着しようとしている状態図である。本発明のフレキケース６０の嵌合部６０bと回転部のフレキケース嵌合部４４を軽圧入により回転部４０に仮止めされるように構成されており、フレキケース６０を矢印Ｃ方向に移動させ、回転部４０に固定する。
【００１５】
図３は、第１の実施例のフレキケースをパン回転部に装着されたフレキケースにフラットケーブルを配線した状態図である。フレキケース６０を回転部４０に仮固定した状態で、図３で示すようにフレキ８０および８１を螺旋状に（８２）に配線する。このとき、螺旋状の終端部は、フレキケース６０の終端固定用スリット６０eに仮固定されるので、配線が移動することはない。本実施例においては、外周のみを規制しフレキを収納する例を示したが、もちろん、フレキの下端面も同時に規制し収納空間形成し、フレキの内周が下方向に垂れ下がらないようにしても構わない。
【００１６】
図４は、第１の実施例のパン回転部を固定部に装着する状態を示した状態図である。仮固定され、フレキの配線が終了した状態で、回転部４０は、固定部３０に装着される。図６で説明した場合と同様に、このとき、回転部４０は、パン軸４１と固定部２０の軸受け部３１が嵌合することにより取り付けられる。このとき、回転部４０のパンギア４３はパンモータ４２のピニオンギア（不図示）のギア連結され、パンモータ４２が回転することにより回転部４０は、Ｂ１あるいはＢ２方向に回動することができるようになる。
【００１７】
図５は、本発明のフレキケースを固定部に取り付けた状態の断面図である。
【００１８】
フレキケースにフレキを配線した状態を示す断面図である。固定部軸受け部３１とパン軸４１は嵌合した状態で、回転部４０を取り付けたときにフレキケース６０は、フレキケースの嵌合部６０bとパンギア４３のフレキケース嵌合部４４と軽圧入された状態にある。
【００１９】
ここで、フレキケース６０を矢印Ｄ方向に移動し、パン軸に対してE方向に回転させることでフレキケースの係合部６０aと固定部の係合部が係合することで、固定部とフレキケース６０が固定される。このとき係合部にロック部を設け（不図示）、フレキケース６０がパン軸上で回転しないようになっている。
【００２０】
次に、簡単化のため、要部を簡易に示した図面を用いて摺動・導電シートの説明を行う。図８はフレキケース100の断面図である。
【００２１】
フレキケース100は、回転ベース102及びハウジング106で挟まれた空間を有し、フレキ103が螺旋状に配置され収納され、一端は回転ベース102より出て、一端は固定側のハウジング106より突出している。このような構成により、回転ベース１０２とハウジング１０６の相対的回転があった際、フレキ１０３の放射方向への伸縮によって、その影響が吸収されるようになっている。
【００２２】
ハウジング106はベース板金105に固定されベース板金105にはスリーブ107が固定され、ハウジング106の下面を貫通して、ケース100内部に突出している。ハウジング106の下面にはシート104が配置されている。シート104の表面は摺動性がよく、フレキ103がシート104の上を摺動するようになっている。また、シート104は導電性にも優れ、導通部104aにて、ベース105に電気的・機械的に接続されたスリーブ107と接し、フレキ106とシート104が摺動し静電気が発生した際に、シート104からスリーブ107、そしてベース105に容易に逃がすことができる。
【００２３】
また、回転ベース102の回転軸101はスリーブ107によって支持されているため、回転ベース102及びベース105も同電位となっている。
【００２４】
以上のように本発明のフレキケースを構成することにより、
収納した内部のフレキの摺動性を確保しつつ、摺動によって生じた静電気を、ベースや回転がわのベースに容易に逃がすことができるようになる。
【図面の簡単な説明】
【００２５】
【図１】本発明の第１の実施例によるフレキケースを有した撮像装置の外観斜視図である。
【図２】本発明の第１の実施例のフレキケースをパン回転部に装着しようとしている状態図である。
【図３】本発明の第１の実施例のフレキケースをパン回転部に装着されたフレキケースにフレキを配線した状態図である。
【図４】本発明の第１の実施例のパン回転部を固定部に装着する状態を示した状態図である。
【図５】本発明のフレキケースを固定部に取り付けた状態の断面図である。
【図６】従来の撮像装置において回転部を固定部側から取り外した状態を示す状態図である。
【図７】従来の撮像装置においてフレキを配線する状態を示す状態図である。
【図８】本発明のフレキケースの要部断面図。
【符号の説明】
【００２６】
１０  撮像装置
２０  カメラユニット
３０  固定部
３１  固定部軸受け部
３２  固定部のフレキケース係合部
３３  本発明の第２実施例の固定部段差部
４０  回転部
４１  パン軸
４２  パンモータ
４３  パンギア
４４  フレキケース嵌合部
５０  チルト部
５１  チルトモータ
５２  チルトギア
５３  チルトモータ中継基板
６０  本発明の第１実施例のフレキケース
６０a  フレキケースの固定部との係合部
６０b  フレキケースの回転部と嵌合部
６０c  本発明の第２実施例のフレキケースの段差部
６０e  フレキケースの終端固定用スリット
７０  従来のフレキケース
８０  カメラユニット接続用フレキ
８１  チルトモータ接続用フレキ
８２  フレキの螺旋部
８２a  フレキの螺旋部外周
８２b  フレキの螺旋部内周
１０１  軸
１０２  回転ベース板金
１０３  フレキ
１０４  シート
１０５  ベース板金
１０６  ハウジング
１０７  スリーブ
【図１】
2008211613.tif 000003
【図２】
2008211613.tif 000004
【図３】
2008211613.tif 000005
【図４】
2008211613.tif 000006
【図５】
2008211613.tif 000007
【図６】
2008211613.tif 000008
【図７】
2008211613.tif 000009
【図８】
2008211613.tif 000010